(57)【特許請求の範囲】
【請求項１】
生物の雄の生殖器をマッサージするマッサージ器具であって、
前記雄の前記生殖器である亀頭及び陰茎を挿入する開口部を有するマッサージ本体部と、
前記マッサージ本体部を操作する第１ハンドル部と、
前記マッサージ本体部を操作する、前記第１ハンドル部と異なる第２ハンドル部と、
前記第１ハンドル部に接続して前記第１ハンドル部の動きに連動する第１弾性部材と、
前記第２ハンドル部に接続して前記第２ハンドル部の動きに連動する第２弾性部材と、
前記第１弾性部材と前記マッサージ本体部を接続する第１接続部と、
前記第２弾性部材と前記マッサージ本体部を接続する第２接続部と、
を備え、
前記第１ハンドル部が操作されると、前記第１ハンドル部の操作が前記第１弾性部材を通じて間接的に前記マッサージ本体部を動かし、
前記第２ハンドル部が操作されると、前記第２ハンドル部の操作が前記第２弾性部材を通じて間接的に前記マッサージ本体部を動かし、
前記第１ハンドル部は、第１一端と第１他端を有し、前記開口部の奥行方向に沿うように前記第１一端から前記第１他端に向けて延び、
前記第２ハンドル部は、第２一端と第２他端を有し、前記開口部の奥行方向に沿うように前記第２一端から前記第２他端に向けて延びるマッサージ器具。
【請求項２】
前記開口部の周辺部から前記開口部の手前側に向けて突き出る複数の突起部と、
を備え、
前記開口部の奥に前記雄の前記生殖器が挿入されると、前記雄の前記生殖器の周辺に前記突起部の少なくとも一部が接触する、請求項１に記載のマッサージ器具。
【請求項３】
生物の雄の生殖器である亀頭及び陰茎を挿入する開口部を有するマッサージ本体部を用いてマッサージするマッサージ器具であって、
前記マッサージ本体部を保持する保持部と、
前記保持部により保持された前記マッサージ本体部を操作する第１ハンドル部と、
前記保持部により保持された前記マッサージ本体部を操作する、前記第１ハンドル部と異なる第２ハンドル部と、
前記第１ハンドル部に接続して前記第１ハンドル部の動きに連動する第１弾性部材と、
前記第２ハンドル部に接続して前記第２ハンドル部の動きに連動する第２弾性部材と、
前記第１弾性部材と前記保持部を接続する第１接続部と、
前記第２弾性部材と前記保持部を接続する第２接続部と、
を備え、
前記第１ハンドル部が操作されると、前記第１ハンドル部の操作が前記第１弾性部材を通じて間接的に前記マッサージ本体部を動かし、
前記第２ハンドル部が操作されると、前記第２ハンドル部の操作が前記第２弾性部材を通じて間接的に前記マッサージ本体部を動かし、
前記第１ハンドル部は、第１一端と第１他端を有し、前記開口部の奥行方向に沿うように前記第１一端から前記第１他端に向けて延び、
前記第２ハンドル部は、第２一端と第２他端を有し、前記開口部の奥行方向に沿うように前記第２一端から前記第２他端に向けて延びるマッサージ器具。
【請求項４】
前記保持部は、保持した前記マッサージ本体部の前記開口部の手前側に向けて突き出る、複数の突起部を備え、
前記開口部の奥に前記雄の前記生殖器が挿入されると、前記雄の前記生殖器の周辺に前記突起部の少なくとも一部が接触する、請求項３に記載のマッサージ器具。
【請求項５】
前記第１ハンドル部から延びる第１延出部と、前記第２ハンドル部から延びる第２延出部とを備え、
前記第１延出部は、前記マッサージ本体部の使用時に前記第１延出部の少なくとも一部が前記生物に触れ、
前記第２延出部は、前記マッサージ本体部の使用時に前記第２延出部の少なくとも一部が前記生物に触れる、請求項１ないし４のいずれか１項に記載のマッサージ器具。
【発明の詳細な説明】
【技術分野】
【０００１】
本発明は、マッサージ器具に関する。
【背景技術】
【０００２】
例えば、特許文献１には、男性の生殖器をマッサージするマッサージ器具が開示される。
【先行技術文献】
【特許文献】
【０００３】
【特許文献１】特開２００８−３０７１３１号
【発明の概要】
【発明が解決しようとする課題】
【０００４】
特許文献１のマッサージ器具では、使用者がマッサージ器具そのものをしっかりと手で握ってマッサージするため、操作者が意図するようにしかマッサージ器具を操作することができない。
【０００５】
本発明の課題は、操作者が意図しない動きをすることが可能なマッサージ器具を提供することにある。
【課題を解決するための手段及び発明の効果】
【０００６】
生物の雄の生殖器をマッサージするマッサージ器具であって、
雄の生殖器である亀頭及び陰茎を挿入する開口部を有するマッサージ本体部と、
マッサージ本体部を操作する第１ハンドル部と、
マッサージ本体部を操作する、第１ハンドル部と異なる第２ハンドル部と、
第１ハンドル部に接続して第１ハンドル部の動きに連動する第１弾性部材と、
第２ハンドル部に接続して第２ハンドル部の動きに連動する第２弾性部材と、
第１弾性部材とマッサージ本体部を接続する第１接続部と、
第２弾性部材とマッサージ本体部を接続する第２接続部と、
を備え、
第１ハンドル部が操作されると、第１ハンドル部の操作が第１弾性部材を通じて間接的にマッサージ本体部を動かし、
第２ハンドル部が操作されると、第２ハンドル部の操作が第２弾性部材を通じて間接的にマッサージ本体部を動かし、
第１ハンドル部は、第１一端と第１他端を有し、開口部の奥行方向に沿うように第１一端から第１他端に向けて延び、
第２ハンドル部は、第２一端と第２他端を有し、開口部の奥行方向に沿うように第２一端から第２他端に向けて延びる。
【０００７】
本発明のマッサージ器具は、ハンドル部を操作する動きが弾性部材で変換され、不規則な動きをマッサージ本体部に伝えることが可能となる。そのため、ハンドル部を操作する操作者が意図しない動きをマッサージ本体部に与えることができる。それ故、例えば、操作者が刺激したい部位に操作者が意図しない刺激やマッサージ本体部の動きを生じさせることが可能となる。
【０００８】
本発明の実施態様では、
開口部の周辺部から開口部の手前側に向けて突き出る、複数の突起部と、
を備え、
開口部の奥に雄の生殖器が挿入されると、雄の生殖器の周辺に突起部の少なくとも一部が接触してもよい。
【０００９】
これによれば、マッサージする際に複数の突起部の少なくとも一部が生殖器の周辺に接触するため、生殖器以外の部位である生殖器の周辺をマッサージできる。
【００１０】
また、本発明のマッサージ器具は、
生物の雄の生殖器である亀頭及び陰茎を挿入する開口部を有するマッサージ本体部を用いてマッサージするマッサージ器具であって、
マッサージ本体部を保持する保持部と、
保持部により保持されたマッサージ本体部を操作する第１ハンドル部と、
保持部により保持されたマッサージ本体部を操作する、第１ハンドル部と異なる第２ハンドル部と、
第１ハンドル部に接続して第１ハンドル部の動きに連動する第１弾性部材と、
第２ハンドル部に接続して第２ハンドル部の動きに連動する第２弾性部材と、
第１弾性部材と保持部を接続する第１接続部と、
第２弾性部材と保持部を接続する第２接続部と、
を備え、
第１ハンドル部が操作されると、第１ハンドル部の操作が第１弾性部材を通じて間接的にマッサージ本体部を動かし、
第２ハンドル部が操作されると、第２ハンドル部の操作が第２弾性部材を通じて間接的にマッサージ本体部を動かし、
第１ハンドル部は、第１一端と第１他端を有し、開口部の奥行方向に沿うように第１一端から第１他端に向けて延び、
第２ハンドル部は、第２一端と第２他端を有し、開口部の奥行方向に沿うように第２一端から第２他端に向けて延びる。
【００１１】
本発明のマッサージ器具は、ハンドル部を操作する動きが弾性部材で変換され、不規則な動きをマッサージ本体部に伝えることが可能となる。そのため、ハンドル部を操作する操作者が意図しない動きをマッサージ本体部に与えることができる。それ故、例えば、操作者が刺激したい部位に操作者が意図しない刺激やマッサージ本体部の動きを生じさせることが可能となる。
【００１２】
本発明の実施態様では、
保持部は、保持したマッサージ本体部の開口部の手前側に向けて突き出る、複数の突起部を備え、
開口部の奥に雄の生殖器が挿入されると、雄の生殖器の周辺に突起部の少なくとも一部が接触してもよい。
【００１３】
これによれば、マッサージする際に複数の突起部の少なくとも一部が生殖器の周辺に接触するため、生殖器以外の部位である生殖器の周辺をマッサージできる。
【００１４】
本発明の実施態様では、
第１ハンドル部から延びる第１延出部と、第２ハンドル部から延びる第２延出部とを備え、
第１延出部は、マッサージ本体部の使用時に第１延出部の少なくとも一部が生物に触れ、
第２延出部は、マッサージ本体部の使用時に第２延出部の少なくとも一部が生物に触れてもよい。
【００１５】
これによれば、マッサージ本体部及び突起部に以外に延出部が生物に触れるため、生物に対して多様な刺激を与えることができる。
【図面の簡単な説明】
【００１６】
【図１】本発明のマッサージ器具の一例を示す模式斜視図。
【図２】図１のマッサージ器具の模式底面図。
【図３】図１のマッサージ器具の蓋部周辺の部分拡大図。
【図４】図１のマッサージ器具を別の角度から見た模式斜視図（便宜的に１つのバネを透過させて示した図）。
【図５】図１のマッサージ器具から１つの延出部を取り外した状態を示す模式斜視図。
【図６】図５の取り外された延出部を示す模式拡大斜視図。
【図７】図１のマッサージ器具の使用状態を示す模式側面図。
【図８】図７の部分拡大図。
【図９】図７の使用者側から見たマッサージ器具の斜視図を便宜的に示した図。
【図１０】図９のマッサージ器具を反時計方向に捻じった状態を示す斜視図。
【図１１】図９のマッサージ器具のハンドル部を内側に倒した状態を示す斜視図。
【図１２】本発明の例２のマッサージ器具を示す模式斜視図。
【発明を実施するための形態】
【００１７】
図１は本発明の一例のマッサージ器具１を示す。マッサージ器具１は、男性の生殖器（男性器）をマッサージするために使用されるアダルトグッズ（性具）である。マッサージ器具１は、既存のオナニーホール（図示省略）を保持する保持部２を備える。本明細書におけるオナニーホール（図示省略）とは、亀頭及び陰茎を挿入できる開口部を有し、開口部に亀頭及び陰茎を挿入したり、開口部に挿入した亀頭及び陰茎をピストン運動したり、開口部に挿入した亀頭及び陰茎を相対的にピストン運動させたりすることで、男性器を女性器に挿入しているような快感をできる限り再現できるように男性器をマッサージする性具を意味する。なお、オナニーホール（図示省略）としては、例えば、亀頭及び陰茎を挿入するための開口部を有した略筒状部材として形成されるものがある。
【００１８】
オナニーホール（図示省略）を保持する保持部２は、内部にオナニーホール（図示省略）を保持可能な筒状部材３を備える。筒状部材３には２つのアーム４が接続される。アーム４にはバネ５の一端が接続される。バネ５を操作部６が覆い、操作部６はオナニーホール（図示省略）を操作する。操作部６には、延出部７が取り付けられる。接続部材８は、図２に示すように２つのアーム４を繋ぐように延びる。
【００１９】
筒状部材３は、図１に示す筒状の本体３ａと、本体３ａの一端に取り付けられる蓋部３ｂを備える。本体３ａの内部には、オナニーホール（図示省略）を保持する保持部材（図示省略）が取り付けられる。蓋部３ｂは、図２に示すように中央に形成される環状の開口部３ｂ１と、開口部３ｂ１の外周部に位置する複数の突起部Ｐを有する。本体３ａの内部に取り付けられる保持部材（図示省略）は、蓋部３ｂの開口部３ｂ１に対向してオナニーホール（図示省略）の開口部が位置する又は開口部３ｂ１の内側にオナニーホール（図示省略）が挿入された状態にオナニーホール（図示省略）を保持できれば、どのような機構、構造、形状でもよい。
【００２０】
図３に示すように突起部Ｐは、第１突起部Ｐ１と第１突起部Ｐ１より長い第２突起部Ｐ２を有する。第１突起部Ｐ１は、蓋部３ｂに取り付けられる根元部と、根元部から延びた先に位置する先端部を有して、弾性変形可能な棒状に形成される。第１突起部Ｐ１は、根元部から先端部に向かうに連れて径が縮小する。先端部の形状としては、尖った形状、平坦形状、丸められた形状など、種々の形状を採用することができる。第１突起部Ｐ１は、蓋部３ｂの開口部３ｂ１（図２）の外周部に取り付けられる。第１突起部Ｐ１は、図３に示すように蓋部３ｂの同一領域Ｒに複数（ここでは３つ）の第１突起部Ｐ１がまとめて取り付けられ、同一領域Ｒに取り付けられた複数の第１突起部Ｐ１が蓋部の上方に延びるように位置する。同一領域Ｒに取り付けられる複数の第１突起部Ｐ１は、図２に示すように環状の開口部３ｂ１の中心Ｏを同心とする同心円状に多重の円を描くように開口部３ｂの外周部に複数配置される。図３に示すように第２突起部Ｐ２は、弾性変形可能で先端部が丸められた棒状に形成にされる。第２突起部Ｐ２は、略直線状に間隔を空けて複数（ここでは６つ）、蓋部３ｂに取り付けられる。各第２突起部Ｐ２には、側方に膨出したリング状の膨出部Ｅ（図面の便宜上、図３以外では図示省略）を複数有する。膨出部Ｅは、第２突起部Ｐ２の上下方向に沿って間隔を空けて複数配置される。そのため、第２突起部Ｐ２の側面には上下方向に沿ってリング状の凹凸が形成される。図面の便宜上、第１及び第２突起部Ｐ１、Ｐ２は、直立して描かれるが、第１及び第２突起部Ｐ１、Ｐ２は、必ずしも直立している必要は無く、自重により垂れ下がってもよい。
【００２１】
図２に戻って、筒状部材３に接続するアーム４は、平板状に形成される。アーム４は、筒状部材３の側面から側方に延びるように複数（ここでは２つ）取り付けられる。開口部３ｂ１の中心Ｏを中心とする開口部３ｂ１の法線方向に沿うように２つのアーム４が位置し、２つの法線Ｎが交わることで形成される角θが鈍角になるように２つのアーム４が筒状部材３に取り付けられる。図２において、筒状部材３の中心Ｏは筒状部材３の重心位置に相当する。左右のアーム４の先端（筒状部材３に接続する一端と反対側の他端）と筒状部材３の重心位置が同一線上からずれるように、アーム４が筒状部材３に取り付けられる。
【００２２】
図４に示すように筒状部材３から延びるアーム４の先端側にはバネ５が取り付けられる。図４では、バネ５の位置関係を明示するために、一方（図示左側）のアーム４に取り付けられるバネ５を透過させて図示してある。図４に示すようにバネ５はらせん状に形成され、らせん状の一端部がアーム４の下側の表面に取り付けられる。バネ５は、アーム４の下側から下方に向かって延びるように位置する。
【００２３】
バネ５には、バネ５を覆うように操作部６が取り付けられる。操作部６は、オナニーホール（図示省略）を操作するハンドルとなるハンドル部６ａと、ハンドル部６ａに一端が接続する略Ｊ状の接続部材６ｂと、接続部材６ｂに取り付けられて操作部６に他の部材を取り付けるための被取付部６ｃを備える。
【００２４】
ハンドル部６ａは、オナニーホール（図示省略）を操作するためにオナニーホール（図示省略）の操作者が手で握るための把持部である。ハンドル部６ａは、例えば、操作者が握りやすいように手にフィットする形状に外面が形成された筒状部材として構成される。この筒状部材の一端側からバネ５が挿入され、筒状部材の内部にバネ５が取り付けられ、ハンドル部６ａの動きにバネ５が連動する。なお、図２において、筒状部材３の中心Ｏ（筒状部材３の重心位置）と、左右のハンドル部６ａが同一線上からずれて配置される。
【００２５】
図４に戻って、ハンドル部６ａの一端側にはアーム４が取り付けられる一方で、ハンドル部６ａの他端側には接続部材６ｂが取り付けられる。接続部材６ｂは、ハンドル部６ａの他端側（図示下側）から下方に延びた後にハンドル部６ａと対向するように略Ｊ字状に形成される。
【００２６】
ハンドル部６ａと対向する側に位置する接続部材６ｂには、被取付部６ｃが位置する。被取付部６ｃは、操作部６に他の部材を取り付けるための部材である。被取付部６ｃには、延出部７が取り付けられる。
【００２７】
図５に示すように延出部７は、被取付部６ｃに取り付けられる取付部７ａと、取付部７ａを基点として複数に分かれて（ここでは３つ股に分かれて）丸棒状に延びる本体部７ｂを備える。取付部７ａは、被取付部６ｃに取り付けらえる取付部材である。取付部７ａと被取付部６ｃにより延出部７は操作部６に着脱可能となる。本体部７ｂは、取付部７ａを基点に丸棒状に延びる第１本体７ｂ１、第２本体７ｂ２及び第３本体７ｂ３を有する。図６に示す第１本体７ｂ１は、上方に延びた後に斜め上方に延びて略「く」の字状に形成される。第２本体７ｂ２は、上方に延びた後に側方に湾曲して略Ｌ字状に形成される。第３本体７ｂ３は、側方に延びた後に上方に湾曲した後に側方に延びて略Ｚ状に形成される。第１〜第３本体７ｂ１、７ｂ２、７ｂ３は、基点となる取付部７ａに取り付けられる。第１〜第３本体７ｂ１、７ｂ２、７ｂ３は、取付部７ａに取り付けられた状態で、取付部７ａを基点に弾性変形可能である。第１〜第３本体７ｂ１、７ｂ２、７ｂ３は、取付部７ａ側から延びた先が丸められた先端部を有する。また、第１〜第３本体７ｂ１、７ｂ２、７ｂ３は、所定の外力以上の力を加えることで図６に示す形状以外にも任意の形状に変形させることが可能である。
【００２８】
図４に戻って、２つのアーム４を繋ぐように接続部材８がアーム４に取り付けられる。接続部材８は、一端が一方のアーム４の上側の表面に取り付けられるとともに、他端が他方のアーム４の上側の表面に取り付けられる。接続部材８は、一端から他端に向けて筒状部材３から離れるように筒状部材３の側方に突出する凸部を有して略Ｖ字状に形成される。接続部材８は、所定の外力以上の力を加えることで図４に示す形状以外にも任意の形状に変形させることが可能である。
【００２９】
以上の構成を有するマッサージ器具１は、筒状部材３の内部の保持部材（図示省略）でオナニーホール（図示省略）を保持した状態で使用される。オナニーホール（図示省略）が筒状部材３に取り付けられた状態で、例えば、オナニーホール（図示省略）の開口部（図示省略）と筒状部材３の開口部３ｂ１（図２）が連通し、又は、開口部３ｂ１の直下にオナニーホール（図示省略）の開口部（図示省略）が位置する。
【００３０】
次にオナニーホール（図示省略）を取り付けたマッサージ器具１を使ってマッサージする方法を説明する。ここでは、裸の状態で椅子などに座った男性が自分の男性器をマッサージ器具１でマッサージする方法を説明する。事前準備として、必要に応じて、オナニーホール（図示省略）の開口部（図示省略）からオナニーホール（図示省略）にローションを入れるとともに、必要に応じて、複数の第１及び第２突起部Ｐ１、Ｐ２にローションを塗る。先ず、図１に示すように第１及び第２突起部Ｐ１、Ｐ２が下を向いた状態で接続部材８側から両手でそれぞれのハンドル部６ａを握ってマッサージ器具１を保持する。そして、むき出しとなっている男性器を筒状部材３の開口部３ｂ１（図２）を入口としてオナニーホール（図示省略）の開口部（図示省略）の奥に挿入するようにマッサージ器具１を操作する。また、オナニーホール（図示省略）に男性器が挿入された状態で、図７及び図８に示すように第１本体７ｂ１が太腿の内側に沿うように延びて接する。第２本体７ｂ２が足の付け根の側方に沿うように上前腸骨点棘に向けて延び、上前腸骨点棘の周辺部に接する。また、第３本体７ｂ３が側腹部にかけて延びて第３本体部７ｂ３の先端部などが側腹部に接する。上記のように第１〜第３本体７ｂ１、７ｂ２、７ｂ３が配置される。第１〜第３本体７ｂ１、７ｂ２、７ｂ３は、取付部７ａを基点に弾性変形し、元の状態に戻ろうと復元力が作用している。また、複数の第１突起部Ｐ１の少なくとも一部が男性器の周辺に接触するとともに、第２突起部Ｐ２が睾丸や股の付け根や付け根の周辺に接するように位置する。このようにしてマッサージ器具１が男性の身体に装着される。なお、マッサージ器具１が装着された状態で接続部材８は、腹部に触れずに腹部の上方に浮いて位置する。上記では、操作部６に延出部７が取り付けられた状態でマッサージ器具１を身体に装着する例を示したが、延出部７を取り外した状態で、オナニーホール（図示省略）に男性器を挿入した後に操作部６に左右の延出部７を取り付けても良い。マッサージ器具１を装着する際に延出部７が煩わしい場合には、後から延出部７を取り付けることで、マッサージ器具１の装着が容易となる。
【００３１】
マッサージ器具１を男性の身体に装着した状態で、両手で各ハンドル部６ａを握って、オナニーホール（図示省略）の奥や手前側に向かって男性器が相対的にピストン運動するようにマッサージ器具１を動かし、男性器をマッサージする。マッサージ器具１を動かすと、オナニーホール（図示省略）で亀頭及び陰茎がマッサージされる。また、陰毛そのもの、陰茎の付け根の周辺である陰毛の生え際、及び陰茎の付け根の周りにある皮膚に対してマッサージ器具１の動きに応じて第１突起部Ｐ１が接触するとともに、第２突起部Ｐ２が睾丸の表面及び股の付け根及び周辺の表面を撫でるように移動する。更に、第１本体７ｂ１が太腿の内側などを、第２本体７ｂ２が上前腸骨棘やその周辺部などを、第３本体部７ｂ３が側腹部などを撫でるように移動する。マッサージ器具１を動かす方法としては、男性器が相対的にピストン運動するようにマッサージ器具１を男性器に対して動かす以外にも、オナニーホール（図示省略）に挿入された男性器を軸とするようにハンドル部６ａで男性器が挿入されたマッサージ器具１をねじるように回転させる操作（図９→図１０）ができる。ねじるように回転させる際にも、ハンドル部６ａの動きに連動するバネ５（図４）により不規則な動きが生じる。その他にも、図１１に示すように２つのハンドル部６ａがハの字状になるように内側に倒すなど、ハンドル部６ａを自由に動かすことができる。マッサージ器具１を操作するハンドル部６ａが操作されると、ハンドル部６ａの動きに連動するバネ５（図４）を通じて間接的にマッサージ器具１が動く。また、ハンドル部６ａに繋がる被取付部６ｃに取り付けられる延出部７は、ハンドル部６ａの動きに連動する。そのため、ハンドル部６ａの操作やマッサージ器具１を使用する男性の姿勢に応じて、図８に示す第１本体７ｂ１により太腿の内側や、膝の裏、膝の表、ふくらはぎ等も刺激できる。また、第２本体７ｂ２により上前腸骨棘やその周辺部や、鼠径部、男性器周辺、側腹部、太腿の前面等も刺激できる。同様に第３本体７ｂ３により側腹部や、脇近傍、胸近傍、背中近傍、上前腸骨棘の周辺部、鼠径部等も刺激できる。接続部材８については、ハンドル部６ａの操作やマッサージ器具１を使用する男性の姿勢に応じて腹部を刺激できる。
【００３２】
マッサージ器具１により男性器をマッサージすることで男性が射精するなどしてマッサージが終了した場合には、オナニーホール（図示省略）に挿入された男性器をオナニーホール（図示省略）及びマッサージ器具１から抜き出すとともに、身体に接触していた第１突起部Ｐ１や第２突起部Ｐ２、延出部７を身体から取り外す。そして、必要に応じてマッサージ器具１からオナニーホール（図示省略）を取り外す。マッサージ終了後には、取り外したオナニーホール（図示省略）やマッサージ器具１を洗浄することで、オナニーホール（図示省略）及びマッサージ器具１を再度、使用できる。
【００３３】
以上のように、マッサージ器具１を用いて男性器をマッサージする場合には、オナニーホール（図示省略）により亀頭及び陰茎をマッサージできる。また、マッサージ器具１を動かすと、図８に示すように第１突起部Ｐ１が陰茎の付け根の周辺に位置する陰毛そのもの、陰毛の生え際及び陰茎の付け根の周りにある皮膚に触れる。また、第２突起部Ｐ２が睾丸の表面及び股の付け根周辺の表面を撫でるように移動する。よって、通常の自慰行為では刺激されない部位に刺激を与えることができる。そして、第２突起部Ｐ２に備わる複数の膨出部Ｅ（図３）により第２突起部Ｐ２の表面には凹凸が形成されることで、くすぐったさなどの刺激を一層効果的に生み出すことができる。そして、第１突起部Ｐ１及び第２突起部Ｐ２は、弾性変形可能であるため、男性器及び男性器周辺の敏感な部位にソフトな刺激を与えることができる。図３に示すように複数の第１突起部Ｐ１が同一領域Ｒにまとめて取り付けられることで、第１突起部Ｐ１が密集しやすくなり、適度な刺激を生み出すことが可能となる。そして、同一領域Ｒに複数の第１突起部Ｐ１を設けることで、第１突起部Ｐ１の一本一本の角度が変わるため、多様な刺激を生みやすくなる。同様に複数の第１突起部Ｐ１が開口部３ｂ１（図２）の外周部に位置することで、男性器の周辺に適度な刺激を与えることが可能となる。また、図３に示すように第２突起部Ｐ２が第１突起部Ｐ１より長いことで、第２突起部Ｐ２により第１突起部Ｐ１とは異なる刺激を与えることができる。図４に示すように第２突起部Ｐ２は、接続部材８が突出する方向と反対側に位置するため、マッサージ器具１の使用時に第２突起部Ｐ２が睾丸や股の付け根周辺を刺激することができる。
【００３４】
マッサージ器具１の使用時にマッサージ器具１を動かすと、操作部６に取り付けられた延出部７も連動する。よって、ハンドル部６ａの操作やマッサージ器具１を使用する男性の姿勢に応じて、図８に示すように延出部７の第１本体７ｂ１が太腿の内側や、膝の裏、膝の表、ふくらはぎ等に触れることが可能である。また、第２本体７ｂ２が上前腸骨棘やその周辺部や、鼠径部、男性器周辺、側腹部、太腿の前面等に触れることが可能である。同様に第３本体７ｂ３が側腹部や、脇近傍、胸近傍、背中近傍、上前腸骨棘の周辺部、鼠径部等に触れることが可能である。更に接続部材８が腹部に触れることが可能である。よって、ハンドル部６ａの操作や男性の姿勢に応じてマッサージ器具１の各部材が身体の各部位を撫でるように移動させることで刺激を生み出すことができる。そのため、通常の自慰行為では刺激されない部位に刺激を与えることができる。また、第１〜第３本体７ｂ１、７ｂ２、７ｂ３は、丸棒状であり、更に先端部が丸められているため、先端部及び第１〜第３本体７ｂ１、７ｂ２、７ｂ３の表面が身体に引っ掛からずに、スムーズに身体の表面を撫でるように移動することが可能である。
【００３５】
上記のようにマッサージ器具１を用いてマッサージをすると、男性器のマッサージ中に亀頭及び陰茎の他に、睾丸、陰茎の周辺部、上前腸骨棘やその周辺部、側腹部や背中付近、太腿の内側など複数個所の部位を同時に刺激することが可能となる。また、マッサージ器具１を操作するハンドル部６ａは、ハンドル部６ａの動きに連動するバネ５を通じて間接的にマッサージ器具１を動かす。そのため、バネ５の復元力やマッサージ器具１の自重などにより筒状部材３やハンドル部６ａがマッサージ器具１を操作する操作者（男性）の意図に反して動く場合もある。例えば、図２において、筒状部材３の中心Ｏ（筒状部材３の重心位置）と、左右のハンドル部６ａが同一線上からずれて配置される。そのため、ハンドル部６ａを操作することで得られるであろうと期待した刺激と、ハンドル部６ａの操作により実際に引き起こされる刺激との間にズレが生じ易くなる。それ故、操作者の意図に反した動きを筒状部材３がすることで、オナニーホール（図示省略）を通じて意図しない刺激を亀頭及び陰茎に与えることが可能になるとともに、第１突起部Ｐ１や第２突起部Ｐ２により意図しない刺激を睾丸、陰茎の周辺部などに与えることができる。同様に操作者の意図に反した動きをハンドル部６ａがすることで、ハンドル部６ａに連なる延出部７により意図しない刺激を上前腸骨棘やその周辺部、側腹部や背中付近、太腿の内側、陰茎の周辺部などに与えることができる。したがって、マッサージ器具１を用いてマッサージすることで他人にくすぐられるような刺激を得ることができる。また、マッサージ器具１を操作する操作者の意図に反して筒状部材３及びハンドル部６ａが動くことがあるため、マッサージ器具１を使用することで得られる刺激が不規則となり、マッサージ器具１による刺激に慣れにくくなる。仮に、刺激に慣れてきたとしても、ハンドル部６ａを自在に動かせるため、複数のパターンで刺激を生み出すことが可能である。そのため、マッサージ器具１でのマッサージを長期的に楽しむことが可能となる。なお、マッサージ器具１の使用中には、第１〜第３本体７ｂ１、７ｂ２、７ｂ３は、それぞれ取付部７ａを基点に弾性変形することで、元の状態に戻ろうと復元力が作用する。そのため、マッサージ器具１が動くことで、適宜、第１〜第３本体７ｂ１、７ｂ２、７ｂ３に蓄えられた復元力が解放され、第１〜第３本体７ｂ１、７ｂ２、７ｂ３は操作者が意図しない動きをする。それ故、より一層、他人にくすぐられているような刺激を与えることが可能となる。なお、第１〜第３本体７ｂ１、７ｂ２、７ｂ３については、マッサージ器具１の使用時に男性器側に向かって復元力が作用するように形状を調整するすることで、マッサージ器具１の使用中に刺激に対して敏感な男性器に向けて第１〜第３本体７ｂ１、７ｂ２、７ｂ３が移動し、くすぐったさ、性的快感が結びつくことで、より刺激が魅力的となる。また、図５に示すように操作部６の被取付部６ｃに対して延出部７が着脱可能であるため、形状が異なる複数の延出部７を用意し、マッサージ器具１の使用者の好みに応じて好きな延出部７を被取付部６ｃに取り付けるようにしてもよい。
【００３６】
上記では、本発明のマッサージ器具の一例として、筒状部材３の保持部材（図示省略）にオナニーホール（図示省略）を取り付けたマッサージ器具１を示した。マッサージ器具としては、オナニーホール（図示省略）と筒状部材３を一体に形成したものを採用してもよい。
【００３７】
上記では、操作部６に延出部７を取り付ける例を説明したが、延出部７を筒状部材３に取り付けても良い。筒状部材３に延出部７を取り付けると、ハンドル部６ａの動きに連動するバネ５（図４）を通じて間接的に延出部７が動く。操作部６に延出部７を取り付けた場合よりも、延出部７の可動域が狭くなるため、刺激を生み出すパターン自体は減少するものの、太腿や腹部等の部位は刺激することができるため、操作部６に延出部７を取り付けた場合と、ほぼ同様の効果が得られる。
【００３８】
上記では、男性の生殖器をマッサージするために使用されるマッサージ器具１を説明したが、図１２に示すように女性の生殖器（女性器）をマッサージするために使用されるマッサージ器具１０１としてもよい。以下の説明では、上記と同じ構成については、同じ符号を付して説明を省略する。マッサージ器具１０１は、既存のディルド（図示省略）を保持する保持部２を備える。本明細書におけるディルド（図示省略）とは、女性器に挿入する突出部を有し、突出部を膣口から膣内に挿入したり、膣に挿入した突出部をピストン運動させたり等することで、女性器に男性器を挿入しているような快感をできる限り再現できるように女性器をマッサージする性具を意味する。なお、ディルド（図示省略）としては、例えば、男性器をかたどって棒状部材（突出部）として形成されるものがある。
【００３９】
ディルドを保持する保持部２は、内部にディルド（図示省略）を保持可能な筒状部材３０と、２つのアーム４と、バネ５と、操作部６と、延出部７と、接続部材８とを備える。筒状部材３０は、筒状の本体３０ａと、蓋部３ｂとを備える。本体３０ａの内部には、ディルド（図示省略）を保持するための保持部材（図示省略）が取り付けられる。本体３０ａの内部に取り付けられる保持部材としては、蓋部３ｂの開口部３ｂ１から筒状部材３０の外側にディルド（図示省略）の先端側が突出するようにディルド（図示省略）を筒状部材３０に保持できれば、どのようなもの機構、構造、形状であってもよい。
【００４０】
以上の構成を有するマッサージ器具１０１は、筒状部材３０の内部の保持部材（図示省略）でディルド（図示省略）を保持させた状態で使用される。ディルド（図示省略）が筒状部材３０に取り付けられた状態で、例えば、ディルド（図示省略）の先端側が筒状部材３０の外側に突出するとともに、ディルドの大部分が筒状部材３０の外側に位置する。
【００４１】
次にディルド（図示省略）を取り付けたマッサージ器具１０１を使ってマッサージする方法を説明する。ここでは、裸の状態で椅子などに座った女性が自分の女性器をマッサージ器具１０１でマッサージする方法を説明する。事前準備として、必要に応じて、ディルド（図示省略）にローションを塗るとともに、必要に応じて、複数の第１及び第２突起部Ｐ１、Ｐ２にローションを塗る。そして、ハンドル部６ａを持って、むき出しとなっている女性器に筒状部材３０から突出したディルド（図示省略）を膣の奥に挿入するようにマッサージ器具１０１を操作する。また、ディルド（図示省略）が女性器に挿入された状態で、延出部７の第１本体７ｂ１が太腿の内側に沿うように延びて接する。第２本体７ｂ２足の付け根の側方に沿うように上前腸骨点棘に向けて延び、上前腸骨点棘の周辺部に接する。また、第３本体７ｂ３側腹部にかけて延びて第３本体部７ｂ３の先端部などが側腹部に接する。上記のように第１〜第３本体７ｂ１、７ｂ２、７ｂ３が配置された状態で、第１〜第３本体７ｂ１、７ｂ２、７ｂ３は、それぞれ、取付部７ａを基点に弾性し、元の状態に戻ろうと復元力が作用している。また、筒状部材３０の開口部３ｂ１の周辺部から突き出る複数の第１突起部Ｐ１の少なくとも一部が女性器の周辺に接触するとともに、第２突起部Ｐ２が股の付け根に接するように位置する。このようにしてマッサージ器具１０１が女性の身体に装着される。なお、マッサージ器具１０１が装着された状態で接続部材８は、腹部に触れずに腹部の上方に浮いて位置する。上記では、操作部６に延出部７が取り付けられた状態でマッサージ器具１０１を身体に装着する例を示したが、延出部７を取り外した状態で、ディルド（図示省略）を女性器に挿入した後に操作部６に左右の延出部７を取り付けても良い。
【００４２】
マッサージ器具１０１を女性の身体に装着した状態で、両手で各ハンドル部６ａを握って、ディルド（図示省略）を膣の奥や手前側にピストン運動させるようにマッサージ器具１０１を動かし、女性器をマッサージする。マッサージ器具１０１を動かすことにより、ディルド（図示省略）で膣内がマッサージされる。また、膣口の周辺に位置する陰毛そのもの、陰毛の生え際及び膣口の周りに対してマッサージ器具１０１の動きに応じて第１突起部Ｐ１が接触するとともに、第２突起部Ｐ２が股の付け根周辺の表面を撫でるように移動する。更に、延出部７の第１本体７ｂ１が太腿の内側などを、第２本体７ｂ２が上前腸骨棘やその周辺部などを、第３本体部７ｂ３が側腹部などを撫でるように移動する。なお、マッサージ器具１０１を動かす方法としては、ディルド（図示省略）がピストン運動するようにマッサージ器具１０１を女性器に対して動かす以外にも、膣内に挿入されたディルド（図示省略）を軸とするようにハンドル部６ａで女性器に挿入されたマッサージ器具１０１をねじるように回転させる等、ハンドル部６ａを自由に操作できる。なお、マッサージ器具１０１を操作するハンドル部６ａが操作されると、ハンドル部６ａの動きに連動するバネ５を通じて間接的にマッサージ器具１０１が動く。また、ハンドル部６ａに繋がる被取付部６ｃに取り付けられる延出部７は、ハンドル部６ａの動きに連動する。そのため、ハンドル部６ａの操作やマッサージ器具１０１を使用する女性の姿勢に応じて、第１本体７ｂ１により太腿の内側や、膝の裏、膝の表、ふくらはぎ等も刺激することが可能である。また、第２本体７ｂ２により上前腸骨棘やその周辺部や、鼠径部、女性器周辺、側腹部、太腿の前面等も刺激することが可能である。同様に第３本体７ｂ３により側腹部や、脇近傍、胸近傍、背中近傍、上前腸骨棘の周辺部、鼠径部等も刺激することが可能である。接続部材８については、ハンドル部６ａの操作やマッサージ器具１０１を使用する女性の姿勢に応じて、腹部を刺激することが可能である。
【００４３】
マッサージ器具１０１による女性器のマッサージが終了した場合には、膣に挿入されたディルド（図示省略）を抜き出すとともに、身体に接触していた第１突起部Ｐ１、第２突起Ｐ２、延出部７を身体から取り外す。そして、必要に応じてマッサージ器具１０１からディルド（図示省略）を取り外す。マッサージ終了後には、取り外したディルド（図示省略）やマッサージ器具１０１を洗浄することで、ディルド（図示省略）及びマッサージ器具１０１を再度、使用できる。
【００４４】
以上のように、マッサージ器具１０１を用いて女性器をマッサージする場合には、ディルド（図示省略）により膣内をマッサージできる。また、マッサージ器具１０１を動かすと、第１突起部Ｐ１が膣口の周辺に位置する陰毛そのもの、陰毛の生え際及び膣口の周りに触れる。また、第２突起部Ｐ２が股の付け根周辺の表面を撫でるように移動したりするため、通常の自慰行為では刺激されない部位に刺激を与えることができる。第１突起部Ｐ１、第２突起部Ｐ２は、弾性変形可能であるため、女性器及び女性器周辺の敏感な部位にソフトな刺激を与えることができる。
【００４５】
マッサージ器具１０１の使用時にマッサージ器具１０１を動かすと、操作部６に取り付けられた延出部７も連動する。よって、ハンドル部６ａの操作やマッサージ器具１０１を使用する女性の姿勢に応じて、延出部７の第１本体７ｂ１が太腿の内側や、膝の裏、膝の表、ふくらはぎ等に触れることが可能である。また、第２本体７ｂ２が上前腸骨棘やその周辺部や、鼠径部、女性器周辺、側腹部、太腿の前面等に触れることが可能である。同様に第３本体７ｂ３が側腹部や、脇近傍、胸近傍、背中近傍、上前腸骨棘の周辺部、鼠径部等に触れることが可能である。更に接続部材８が腹部に触れることが可能である。よって、ハンドル部６ａの操作や女性の姿勢に応じてマッサージ器具１０１の各部材が身体の各部位を撫でるように刺激することが可能である。そのため、通常の自慰行為では刺激されない部位に刺激を与えることができる。
【００４６】
上記のようにマッサージ器具１０１を用いてマッサージをすると、女性器のマッサージ中に膣の他に、膣口の周辺部、上前腸骨棘やその周辺部、側腹部や背中付近、太腿の内側など複数個所の部位を同時に刺激することが可能となる。また、マッサージ器具１０１を操作するハンドル部６ａは、ハンドル部６ａの動きに連動するバネ５を通じて間接的にマッサージ器具１０１を動かす。そのため、ディルド（図示省略）により意図しない刺激を膣に与えることができるとともに、第１突起部Ｐ１、第２突起部Ｐ２により意図しない刺激を膣口の周辺部、股の付け根に与えることができる。同様に延出部７により意図しない刺激を上前腸骨棘やその周辺部、側腹部や背中付近、太腿の内側、膣口の周辺部などに与えることができる。
【００４７】
上記では、本発明のマッサージ器具の一例として、筒状部材３０の保持部材（図示省略）にディルド（図示省略）を取り付けたマッサージ器具１０１を示した。マッサージ器具としては、ディルド（図示省略）と筒状部材３０を一体に形成したものを採用してもよい。
【００４８】
上記では、人が使用するマッサージ器具１、１０１の例を説明した。マッサージ器具としては、人を対象にするのに限らず、人を同様な生殖器を有する哺乳類など他の生物に対して使用することができる。
【００４９】
上記では、第１〜第３本体７ｂ１、７ｂ２、７ｂ３により性器の周辺、股、太腿などを刺激する例を示したが、使用者の好みに応じて適宜好きな部位を刺激するようにしても良い。また、第１〜第３本体７ｂ１、７ｂ２、７ｂ３は、マッサージ器具を使う使用者（男性、女性、又は個人の身体など）に合わせて適宜、形状を変形させることができる。
【００５０】
上記では、本発明のマッサージ器具の一例として、マッサージ器具の使用者にくすぐったいような感覚を与えることができる例を示した。このくすぐったいという感覚は、本来、他者からくすぐられることでしか得らないものである。しかし、本発明の一例のマッサージ器具を使用すれば、他者との性行為に近い感覚を得ることができる。そのため、男性であれば、膣内射精障害の治療、女性であればセックス恐怖症の治療などを目的としたマッサージ器具として用いることができる。
【００５１】
ここで、本実施形態と特許請求の範囲に記載の文言との対応関係を説明する。本実施形態のマッサージ器具１、１０１がマッサージ器具に、保持部２が保持部に相当する。また、請求項１のマッサージ本体部が筒状部材３とオナニーホールに相当する。請求項３のマッサージ本体部がオナニーホールに相当する。また、オナニーホールの開口部が開口部に相当する。同様に第１突起部Ｐ１、第２突起部Ｐ２が突起部、操作部６が操作部、ハンドル部６ａがハンドル部、バネ５が弾性部材、アーム４が接続部、延出部７が延出部に相当する。
【００５２】
以上、本発明の実施の態様を説明したが、本発明はその具体的な記載に限定されることなく、例示した構成等を技術的に矛盾のない範囲で適宜組み合わせて実施することも可能であるし、またある要素、処理を周知の形態に置き換えて実施することもできる。
【００５３】
上記では、マッサージ器具１、１０１を座って使用する例を例示したが、仰向けの状態など種々の体勢でマッサージ器具１、１０１を使用できる。なお、使用する体勢に応じて第１〜第３本体７ｂ１、７ｂ２、７ｂ３を変形させてもよい。
【００５４】
上記では、接続部材８がアーム４に取り付けられる例を示したが、接続部材８は筒状部材３に取り付けてもよい。上記では、接続部材８がアーム４に直接取り付けられる例を示したが、アーム４や筒状部材３に被取付部を設けるとともに、接続部材８に取付部を設けることで、接続部材８をアーム４又は筒状部材３に着脱可能にしてもよい。
【００５５】
上記では、両手で２つのハンドル部６ａを操作する例を示したが、片手で操作ができるよう、２つのハンドル部６ａを一つにまとめるような装置を取り付けてもよい。また、ハンドル部６ａとしては、２つに限らず、１つでも２つ以上でもよい。
【符号の説明】
【００５６】
１        マッサージ器具              ２        保持部
３        筒状部材                    ３ａ      本体
３ｂ      蓋部                        ４        アーム
５        バネ                        ６        操作部
６ａ      ハンドル部                  ６ｂ      接続部材
６ｃ      被取付部                    ７        延出部
７ａ      取付部                      ７ｂ      本体
８        接続部材                    Ｐ１      第１突起部
Ｐ２      第２突起部
【要約】
【課題】操作者が意図しない動きをすることが可能なマッサージ器具を提供する。
【解決手段】マッサージ器具１は男性器をマッサージする。男性器を挿入する開口部を有するオナニーホールと、オナニーホールを操作するハンドル部６ａと、ハンドル部６ａに接続してハンドル部６ａの動きに連動するバネ５と、バネ５とオナニーホールを接続するアーム４と、を備える。ハンドル部６ａが操作されると、ハンドル部６ａの操作がバネ５を通じて間接的にオナニーホールを動かす。
【選択図】図１【図１】
0006861314.tif 000002
【図２】
0006861314.tif 000003
【図３】
0006861314.tif 000004
【図４】
0006861314.tif 000005
【図５】
0006861314.tif 000006
【図６】
0006861314.tif 000007
【図７】
0006861314.tif 000008
【図８】
0006861314.tif 000009
【図９】
0006861314.tif 000010
【図１０】
0006861314.tif 000011
【図１１】
0006861314.tif 000012
【図１２】
0006861314.tif 000013